(57)【要約】【課題】    複数のバッチの状態を纏めて把握できるバッチ・オーバ・ビュー表示から個別バッチ表示への切り換えが容易なペーパレスレコーダに関する。【解決手段】    バッチ番号を指定するバッチ番号指定手段を備えたペーパレスレコーダにおいて、複数のバッチの状態を纏めて表示し得るバッチ・オーバ・ビュー画面を生成するバッチ・オーバ・ビュー画面生成手段と、前記バッチ番号指定手段で指定されたバッチのバッチ情報及びデータに基づいて個別バッチ表示画面を生成する個別バッチ表示画面生成手段と、前記バッチ・オーバ・ビュー画面に表示された複数のバッチのいずれかを前記バッチ番号指定手段で指定することにより、当該指定されたバッチに関する前記個別バッチ表示画面に切り替わる表示手段とを備える。【選択図】                    図１
2010072686.tif 000002
【特許請求の範囲】
【請求項１】
バッチ番号を指定するバッチ番号指定手段を備えたペーパレスレコーダにおいて、
複数のバッチの状態を纏めて表示し得るバッチ・オーバ・ビュー画面を生成するバッチ・オーバ・ビュー画面生成手段と、
前記バッチ番号指定手段で指定されたバッチのバッチ情報及びデータに基づいて個別バッチ表示画面を生成する個別バッチ表示画面生成手段と、
前記バッチ・オーバ・ビュー画面に表示された複数のバッチのいずれかを前記バッチ番号指定手段で指定することにより、当該指定されたバッチに関する前記個別バッチ表示画面に切り替わる表示手段と
を備えたことを特徴とするペーパレスレコーダ。
【請求項２】
少なくともいずれかのチャネルで発生したアラームを検出する全チャネル・アラーム情報取得手段を備え、
この全チャネル・アラーム検出手段は、少なくともいずれかのチャネルでアラームが検出された旨を示すオブジェクトを前記バッチ・オーバ・ビュー画面と前記個別バッチ表示画面のいずれにも表示することを特徴とする請求項１記載のペーパレスレコーダ。
【請求項３】
任意の文字列を設定するバッチコメント登録手段を設けたことを特徴とする請求項１記載のペーパレスレコーダ。
【発明の詳細な説明】
【技術分野】
【０００１】
本発明は、バッチ処理を行うペーパレスレコーダに関し、特に、複数のバッチの状態を纏めて把握できるバッチ・オーバ・ビュー表示から個別バッチ表示への切り換えが容易なペーパレスレコーダに関する。
【背景技術】
【０００２】
一般に、ペーパレスレコーダは工場等に配置して使用され、各種の測定値を電子データで記録するものである。また、これらのペーパレスレコーダで取得されたデータはバッチ処理され、ペーパレスレコーダの画面に表示される。
【０００３】
ここでバッチ処理とは、ペーパレスレコーダにおいてプログラムを処理目的ごとに区切り、この区切りごとに順次実行していく処理のことをいう。ペーパレスレコーダの先行技術文献としては次のようなものがある。
【０００４】
【特許文献１】特開平１１―３３７５８６号公報
【０００５】
以下、図６を参照して従来のペーパレスレコーダを説明する。ペーパレスレコーダ１００は、制御部１１０，データ取得手段１２０，個別バッチ情報取得手段１４３，個別バッチ表示画面生成手段１５２，バッチ番号指定手段１６０，表示手段１７０からなる。
【０００６】
制御手段１１０は、ペーパレスレコーダ１００全体を制御する。データ取得手段１２０は、図示しない測定対象のデータを取得する。記憶手段１３０は、データ取得手段１２０で取得したデータを記憶する。
【０００７】
個別バッチ情報取得手段１４３は、記録手段１３０に記憶されたデータからバッチ番号指定手段１６０で指定されたバッチのバッチ情報を取得するとともに、このバッチ情報を再び記憶手段１３０に書き込む。
【０００８】
個別バッチ表示画面生成手段１５２は、バッチ番号指定手段１６０で指定されたバッチのバッチ情報及びデータを記憶手段１３０から取得することにより、図７に示す個別バッチ表示画面を作成する。
【０００９】
ここで、図７を参照して個別バッチ表示画面について説明する。図７では各チャネルの波形がトレンド表示されており、画面左上には、バッチ名５１０が表示されている。ここではＡＮＡＬＹＺＥ−ＴＥＳＴ３−００００５というバッチ名５１０が使用されている。    
【００１０】
再び図６に戻り説明する。バッチ番号指定手段１６０はバッチ番号を指定するものであり、例えばフロントパネルに取り付けられたキーによってバッチ番号を指定する。尚、他のバッチ番号のバッチを表示する場合には再度バッチ番号を指定する。
【００１１】
表示手段１７０は、個別バッチ表示画面生成手段１５２で生成された図７に示す個別バッチ表示画面を表示する。
【００１２】
このように、従来のペーパレスレコーダは、個別バッチ表示画面生成手段１５２が個別バッチ表示画面を生成し、表示手段１７０に表示していた。
【発明の開示】
【発明が解決しようとする課題】
【００１３】
しかし、図６のペーパレスレコーダ１００は、複数のバッチの状態を纏めて把握するのが困難である。
【００１４】
他方、従来のペーパレスレコーダは、図６で説明したペーパレスレコーダ１００に加え、複数のバッチの状態を纏めて表示するバッチ・オーバ・ビュー機能を備えたものがある。
【００１５】
しかし、この従来のバッチ・オーバ・ビュー機能は、図８に示すように、メモリの動作状態を単に一覧表示するに過ぎず、バッチ・オーバ・ビュー表示と個別バッチ表示の関連付けがされていないため、バッチ・オーバ・ビュー表示の状態から直ちに個別バッチの表示を行うことができない。
【００１６】
本発明は、これらの問題点に鑑みてなされたものであり、複数のバッチの状態を纏めて把握できるバッチ・オーバ・ビュー表示から個別バッチ表示への切り換えが容易なペーパレスレコーダを提供することを目的とする。
【課題を解決するための手段】
【００１７】
この様な課題を達成するために本発明は次の構成を備える。
（１）バッチ番号を指定するバッチ番号指定手段を備えたペーパレスレコーダにおいて、
複数のバッチの状態を纏めて表示し得るバッチ・オーバ・ビュー画面を生成するバッチ・オーバ・ビュー画面生成手段と、
前記バッチ番号指定手段で指定されたバッチのバッチ情報及びデータに基づいて個別バッチ表示画面を生成する個別バッチ表示画面生成手段と、
前記バッチ・オーバ・ビュー画面に表示された複数のバッチのいずれかを前記バッチ番号指定手段で指定することにより、当該指定されたバッチに関する前記個別バッチ表示画面に切り替わる表示手段と
を備えたことを特徴とするペーパレスレコーダ。
（２）少なくともいずれかのチャネルで発生したアラームを検出する全チャネル・アラーム情報取得手段を備え、
この全チャネル・アラーム検出手段は、少なくともいずれかのチャネルでアラームが検出された旨を示すオブジェクトを前記バッチ・オーバ・ビュー画面と前記個別バッチ表示画面のいずれにも表示することを特徴とする請求項１記載のペーパレスレコーダ。
（３）任意の文字列を設定するバッチコメント登録手段を設けたことを特徴とする請求項１記載のペーパレスレコーダ。
【発明の効果】
【００１８】
本発明では次のような効果がある。バッチ・オーバ・ビュー表示を生成するバッチ・オーバ・ビュー画面生成手段を備え、このバッチ・オーバ・ビュー表示された画面で所定のバッチを指定することにより個別バッチ画面に切り替わるので、すべてのバッチの状態を容易に確認できる。
【発明を実施するための最良の形態】
【００１９】
以下、図１を参照して本発明によるペーパレスレコーダを説明する。ただし、図６と同一の構成については同一の符号を付して説明を省略する。
【００２０】
全バッチ情報取得手段１４１は、記憶手段１３０から全てのバッチ情報を取得するとともに、この全てのバッチの情報を再び記憶手段１３０に記録する。バッチ毎アラーム情報取得手段１４２は、記憶手段１３０のデータを参照し、バッチ番号指定手段１６０で指定されたバッチ内に割り付けられたチャネルにアラーム発生条件に適合するものがあるか検出するとともに、当該バッチ内におけるアラームの発生の有無を表示手段１７０に表示する。具体的には、図２の個別アラーム５５３の位置にアラームの発生の有無を示すオブジェクトを表示する。
【００２１】
全チャネル・アラーム情報取得手段１４４は、記憶手段１３０のデータを参照し、全てのチャネルについてアラームの発生条件に適合するものがあるか検出し、少なくともいずれかのチャネルでアラームが検出されれば表示手段１７０に表示する。具体的には、図２の代表アラーム５５４の位置にアラームの発生の有無を示すオブジェクトを表示する。
【００２２】
バッチ・オーバ・ビュー画面生成手段１５１は、全バッチ情報取得手段１４１で取得された全てのバッチの情報を記録手段１３０から取得して、図２に示すバッチ・オーバ・ビュー画面を生成する。
【００２３】
ここで、図２を説明する。メモリ動作状態５５１は動作中であることを示すＲＵＮＮＩＮＧ（ランニング）又は動作停止状態を示すＯＦ（オフ）のいずれかとなる。尚、メモリ動作状態５５１により背景色を変えることで、識別が容易となる。
【００２４】
ゲージ５５２はバッチ毎のメモリ残量を示す。個別アラーム５５３は、バッチ毎アラーム情報取得手段１４２で検出されたアラームの有無を表示する。代表アラーム５５４は、全チャネル・アラーム情報取得手段１４４で少なくともいずれかのチャネルでアラーム検出された場合にオブジェクトが表示される。
【００２５】
バッチコメント５５５とバッチ名５５６はバッチ毎に表示される。図２ではバッチコメント５５５として[１]ＬＡＢＯ−１、バッチ名５５６としてＡＮＡＬＹＺＥ−ＴＥＳＴ１が表示されている。
【００２６】
ここで、バッチコメント５５５とバッチ名５５６をバッチ毎に表示した理由を説明する。バッチ名５５６には、通常、ペーパレスレコーダ１００が容易に識別し得る数値等が登録される。しかし、この様な数値等は、一般に操作者にとっては識別が困難である場合が多い。そこで、本発明によるペーパレスレコーダ１００は、バッチの内容を操作者が容易に識別し得るよう、任意の文字列を表記し得るバッチコメント５５５を設けている。
【００２７】
次に、図３を参照してバッチ番号指定手段１６０の操作方法を説明する。図３に示すバッチ・オーバ・ビュー画面では、カーソルを表示し又は選択するバッチの色を変えるなどして選択すべきバッチを明らかにする。
【００２８】
そして、操作者はその状態でバッチ番号指定手段１６０のキーを押下して所定のバッチを選択し、個別バッチ表示画面生成手段１５２を動作させ、個別バッチ表示画面に移行する。図３ではＴＲＥＮＤ（トレンド）が選択されているため、図４のようにトレンド表示された個別バッチ表示画面が現れる。
【００２９】
次に、図４を説明する。バッチ名５１０にはＡＮＡＬＹＺＥ−ＴＥＳＴ３−００００５が表示され、バッチコメント５１１には[６]ＬＡＢＯ−６が表示されているため、図３では符号５５７のバッチが選択されたことが分かる。
【００３０】
また、図４に示す個別バッチ表示中は、バッチ番号指定手段１６０で指定されたバッチの情報・データのみをトレンド表示等する。
【００３１】
従って、図１のペーパレスレコーダ１００は、図６で説明した複数のバッチを取り纏める機能を有していない従来のペーパレスレコーダ１０１と同等の操作性も兼ね備える。
【００３２】
また、図４に示す個別バッチ表示画面では、画面右上に代表アラーム５１２が表示されている。ここで、代表アラーム５１２は全チャネル・アラーム情報取得手段１４４で少なくともいずれかのチャネルにアラームが検出されることによって表示される。
【００３３】
従って、個別バッチを表示する状態でも、少なくともいずれかのチャネルでアラームが検出されたことを把握できる。
【００３４】
このように、バッチ・オーバ・ビュー表示を生成するバッチ・オーバ・ビュー画面生成手段１５１を備え、このバッチ・オーバ・ビュー表示された画面で所定のバッチを指定することにより個別バッチ画面に切り替わるので、すべてのバッチの状態を容易に確認できる。
【００３５】
また、バッチ・オーバ・ビュー画面で詳細表示するバッチを指定することで、ダイレクトに個別バッチ表示画面を表示するので操作性に優れる。
【００３６】
さらに、バッチ・オーバ・ビュー画面と個別バッチ表示画面の双方で、少なくともいずれかのチャネルでアラームが検出されていることを示すオブジェクトを表示するので、異常状態を見逃すことがない。
【００３７】
尚、本実施例ではバッチ番号指定手段１６０であるキーを用いてバッチ番号を指定したが、タッチパネルを使用しても良い。また、代表アラーム５１２，５５４のオブジェクトおよび個別アラーム５５３のオブジェクトは、アラームの確認をするまで点滅させても良い。
【００３８】
また、バッチのスタート動作は次の様に行っても良い。すなわち、バッチ・オーバ・ビュー画面でペーパレスレコーダ１００の図示しないスタートキーを押下して、図２に示したバッチ選択画面を表示する。この状態で、複数又は全てのバッチを選択し、これらのバッチを同時にスタートさせても差し支えない。
【００３９】
更に、図５のように、バッチ・オーバ・ビュー画面で各バッチのトレンド波形５７０を表示しても良い。
【００４０】
また、バッチ・オーバ・ビュー画面でアラームが発生した場合、自動的にアラームが発生しているチャネルを含むバッチを個別バッチ表示しても良い。
【００４１】
また、個別バッチ表示画面において、予め決められた時間キー操作が無かった場合に、自動的にバッチ・オーバ・ビュー画面に戻る機能を組み込んでも良い。この場合、図１に示した構成に加え、時間の経過を検出する時間経過検出手段（タイマ）を追加する。
【図面の簡単な説明】
【００４２】
【図１】本発明のペーパレスレコーダの構成図である。
【図２】バッチ・オーバ・ビュー表示画面の例である。
【図３】バッチ・オーバ・ビュー表示画面の操作例である。
【図４】本発明によるトレンド表示された個別バッチ表示画面である。
【図５】本発明の応用例である。
【図６】従来のペーパレスレコーダの構成例である。
【図７】従来のトレンド表示された個別バッチ表示画面である。
【図８】従来のオーバ・ビュー機能の説明図である。
【符号の説明】
【００４３】
１００    ペーパレスレコーダ
１１０    制御手段
１２０    データ取得手段
１３０    記憶手段
１４１    全バッチ情報取得手段
１４２    バッチ毎アラーム情報取得手段
１４３    個別バッチ情報取得手段
１４４    全チャネル・アラーム情報取得手段
１４５    バッチコメント登録手段
１５１    バッチ・オーバ・ビュー画面生成手段
１５２    個別バッチ表示画面生成手段
１６０    バッチ番号指定手段
１７０    表示手段  
【図１】
2010072686.tif 000003
【図６】
2010072686.tif 000004
【図２】
2010072686.tif 000005
【図３】
2010072686.tif 000006
【図４】
2010072686.tif 000007
【図５】
2010072686.tif 000008
【図７】
2010072686.tif 000009
【図８】
2010072686.tif 000010